(57)【要約】【課題】パチンコ遊技装置に面白さや新鮮味を出し、遊技者の遊技意欲を促すことが可能な遊技装置を提供する。【解決手段】表示基板２０には、ＶＤＰ（Ｖｉｄｅｏ  Ｄｉｓｐｌａｙ  Ｐｒｏｃｅｓｓｏｒ）２２、ＲＯＭ（Ｒｅａｄ  Ｏｎｌｙ  Ｍｅｍｏｒｙ）２３，ＣＰＵ（Ｃｅｎｔｒａｌ  Ｐｒｏｃｅｓｓｉｎｇ  Ｕｎｉｔ）２４、時計ＩＣ２５、音声ＩＣ２６、バス２００が備えられている。これらのＶＤＰ（Ｖｉｄｅｏ  Ｄｉｓｐｌａｙ  Ｐｒｏｃｅｓｓｏｒ）等は、前記バス２００を介して互いに接続されている。上記表示基盤２０はゲームを実行する日付や時刻に対応した画像や音声を出力する機能を備えている。このような機能を表示基盤２０に備えさせることによって、遊技者はより楽しくパチンコゲームを実行することができる。【選択図】    図２
2004321208.tif 000002
【特許請求の範囲】
【請求項１】
日付又は時刻を提供する時計手段と、
予め設定された日付又は時刻と、前記設定された日付又は時刻に表示すべき画像データとを、格納した記憶手段と、
前記時計手段から日付または時刻を呼び出し、前記呼び出した日付または時刻が前記記憶手段中の設定された日付又は時刻と合致するか否かを検査し、合致した場合にはその日付又は時刻に表示すべき画像データを前記記憶手段から読み出し、この読み出した画像データを表示手段に供給する処理手段と、
前記処理手段から供給されてきた前記画像データを表示する前記表示手段と、
を含むことを特徴とするパチンコ遊技装置。
【請求項２】
日付又は時刻を提供する時計手段と、
予め設定された日付又は時刻と、前記日付又は時刻に出力すべき音声データとを、格納した記憶手段と、
前記時計手段から日付または時刻を呼び出し、前記呼び出した日付または時刻が前記記憶手段中の設定された日付又は時刻と合致するか否かを検査し、合致した場合にはその日付又は時刻に出力すべき音声データを前記記憶手段から読み出し、この読み出した音声データを音声出力手段に供給する処理手段と、
前記処理手段から供給されてきた前記音声データを出力する前記音声出力手段と、
を含むことを特徴とするパチンコ遊技装置。
【請求項３】
日付又は時刻を提供する時計手段と、
予め設定された日付又は時刻と、前記設定された日付又は時刻に表示すべき画像データと前記設定された日付又は時刻に出力すべき音声データを、格納した記憶手段と、
前記時計手段から日付または時刻を呼び出し、前記呼び出した日付または時刻が前記記憶手段中の設定された日付又は時刻と合致するか否かを検査し、合致した場合にはその日付又は時刻に表示すべき画像データ及びその日付又は時刻に出力すべき音声データを前記記憶手段から読み出し、この読み出した画像データ及び音声データを表示手段及び音声出力手段に供給する処理手段と、
前記処理手段から供給されてきた前記画像データを表示する前記表示手段と、前記処理手段から供給されてきた前記音声データを出力する前記音声出力手段と、
を含むことを特徴とするパチンコ遊技装置。
【請求項４】
請求項１又は３記載のパチンコ遊技装置において、
前記表示手段は、パチンコ遊技装置の遊技画像表示装置に表示することを特徴とするパチンコ遊技装置。
【発明の詳細な説明】
【０００１】
【発明の属する技術分野】
本発明は、パチンコ遊技装置の画像表示方法及び音声出力装置に関する。  特に、日付又は時刻に合わせて音声又は画像を表示及び出力することができるパチンコ遊技装置に関する。
【０００２】
【従来の技術】
パチンコ遊技装置には、大当たりが発生した時刻をパチンコ遊技装置のディスプレイに表示させるものが広く知られている。例えば、下記特許文献１には、大当たり発生時刻がディスプレイに表示されることを特徴とするパチンコ遊技装置が示されている。このパチンコ遊技装置によれば、これにより、大当たりの発生状況がその発生時刻と共に表示されるので、遊技者にとって有意義な情報が提供される。
【０００３】
【特許文献１】
特開平９−２３９１３７号公報
【発明が解決しようとする課題】
従来のパチンコ遊技装置は大当たりの発生時刻を表示するのみで、遊技者にとって有意義な情報を提供することはできる。しかしながら上記従来のパチンコ遊技装置は表示される画像や出力される音声が画一的であり、利用者によっては、面白さや新鮮味にかける場合も考えられる。
【０００４】
そこで本発明は、このような問題に着目してなされたものであり、日付又は時刻や季節に応じてその時宜に応じた画像を表示し、音声を出力することで面白さや新鮮味を出し、遊技者の遊技意欲をさらに促すことを目的とするものである。
【０００５】
【課題を解決するための手段】
１．本発明は、上記目的を達成するため、日付又は時刻を提供する時計手段と、予め設定された日付又は時刻と、前記設定された日付又は時刻に表示すべき画像データとを、格納した記憶手段と、前記時計手段から日付または時刻を呼び出し、前記呼び出した日付または時刻が前記記憶手段中の設定された日付又は時刻と合致するか否かを検査し、合致した場合にはその日付又は時刻に表示すべき画像データを前記記憶手段から読み出し、この読み出した画像データを表示手段に供給する処理手段と、前記処理手段から供給されてきた前記画像データを表示する前記表示手段と、を含むことを特徴とするパチンコ遊技装置である。
【０００６】
このような手段によって、予め設定された日付又は時刻に、時宜に応じた画像を表示することができる。日付又は時刻を提供する時計手段とは、現在時間や現在の日付を管理するものであり、一般に時計ＩＣ、又はタイマーＩＣ等を呼ばれている電子部品を使用することが好ましい。
【０００７】
また、本発明における「パチンコ装置」とは、いわゆる銀玉を利用した遊技装置はもちろん、回胴式の遊技装置である「パチンコスロット遊技装置」も含む概念である。
【０００８】
２．さらに、本発明は、日付又は時刻を提供する時計手段と、予め設定された日付又は時刻と、前記日付又は時刻に出力すべき音声データとを、格納した記憶手段と、前記時計手段から日付または時刻を呼び出し、前記呼び出した日付または時刻が前記記憶手段中の設定された日付又は時刻と合致するか否かを検査し、合致した場合にはその日付又は時刻に出力すべき音声データを前記記憶手段から読み出し、この読み出した音声データを音声出力手段に供給する処理手段と、前記処理手段から供給されてきた前記音声データを出力する前記音声出力手段と、を含むことを特徴とするパチンコ遊技装置である。
【０００９】
このような手段によって、予め設定された日付又は時刻に、時宜に応じた音声を出力することができる。
【００１０】
３．また、本発明は、日付又は時刻を提供する時計手段と、予め設定された日付又は時刻と、前記設定された日付又は時刻に表示すべき画像データと前記設定された日付又は時刻に出力すべき音声データを、格納した記憶手段と、前記時計手段から日付または時刻を呼び出し、前記呼び出した日付または時刻が前記記憶手段中の設定された日付又は時刻と合致するか否かを検査し、合致した場合にはその日付又は時刻に表示すべき画像データ及びその日付又は時刻に出力すべき音声データを前記記憶手段から読み出し、この読み出した画像データ及び音声データを表示手段及び音声出力手段に供給する処理手段と、前記処理手段から供給されてきた前記画像データを表示する前記表示手段と、前記処理手段から供給されてきた前記音声データを出力する前記音声出力手段と、を含むことを特徴とするパチンコ遊技装置である。
【００１１】
４．また、本発明は、上記記載のパチンコ遊技装置において、上記表示手段は、パチンコ遊技装置の遊技のための画像を表示する遊技画像表示装置に表示することを特徴とするパチンコ遊技装置である。
【００１２】
このような構成により、遊技者は遊技をしながら時宜に応じた画像を見ることでき、遊技を楽しむことができ、面白さや新鮮味を感じることができる。
【００１３】
いわゆるパチンコ装置においては、入賞口を銀玉が通過することによっていわゆる抽選が行われるが、その際にゲームをよりおもしろくするための演出画像が表示される場合が多い。この演出画像を表示するためにおよそ中央部には遊技画像表示装置が設けられている。この遊技画像表示装置は、上記演出画像の他に様々な画像を表示し、ゲームをより一層おもしろいものとするために広く用いられている。本発明における表示手段は、この遊技画像表示装置を用いて前記画像データを表示する。
【００１４】
【発明の実施の形態】
以下、本発明の好適な実施の形態を図面に基づいて説明する。
【００１５】
図１には、本実施の形態において利用されているパチンコ遊技装置１０の正面図が表示されている。パチンコ遊技装置１０は、画像表示装置２１と、磁気カード駆動装置１４と、を備えている。
【００１６】
図２には、本発明の好適な実施の形態におけるパチンコ遊技装置１０の表示基板２０を中心とする構成概念図が示されている。
【００１７】
表示基板２０には、ＶＤＰ（Ｖｉｄｅｏ  Ｄｉｓｐｌａｙ  Ｐｒｏｃｅｓｓｏｒ）２２、ＲＯＭ（Ｒｅａｄ  Ｏｎｌｙ  Ｍｅｍｏｒｙ）２３，ＣＰＵ（Ｃｅｎｔｒａｌ  Ｐｒｏｃｅｓｓｉｎｇ  Ｕｎｉｔ）２４、時計ＩＣ２５、音声ＩＣ２６、バス２００が備えている。これらのＶＤＰ（Ｖｉｄｅｏ  Ｄｉｓｐｌａｙ  Ｐｒｏｃｅｓｓｏｒ）等は、前記バス２００を介して互いに接続されている。
【００１８】
表示基板２０は、パチンコ遊技装置１０における遊技画面を、画像表示装置２１に表示するための手段である。この画像表示装置２１は、たとえば、液晶表示装置で構成され、従来から各種の演出画像を表示する者として利用されている。演出画像は、抽選の際の気分を高揚させる等、よりゲームを盛り上げる役割を果たすものとして広く利用されている。なお、画像表示装置２１は、請求の範囲の遊技画像表示装置の一例に相当する。
【００１９】
本実施の形態において特徴的なことは、この表示基盤２０がゲームを実行する日付又は時刻に対応した画像や音声を出力する機能を備えていることである。このような機能を表示基盤２０に備えさせることによって、遊技者はより楽しくパチンコゲームを実行することが可能となる。
【００２０】
また、ＶＤＰ（Ｖｉｄｅｏ  Ｄｉｓｐｌａｙ  Ｐｒｏｃｅｓｓｏｒ）２２には外部の画像表示装置２１が接続されている。さらに、音声ＩＣ２６には外部のスピーカ２８が接続されている。このような構成によって、ＶＤＰ２２は外部の画像表示装置に所定の画像を表示することができ、音声ＩＣ２６は、外部のスピーカ２８から所定の音声を発することができる。
【００２１】
ＶＤＰ２２は、いわゆるビデオカードであり、ＣＰＵ２４から供給されてきた画像を画像表示装置２１に表示する機能を有している。このＶＤＰ２２及びび画像表示装置２１は、請求の範囲における表示手段の一例に相当し、上述の如く例えば液晶表示装置を用いることが好適である。
【００２２】
ＲＯＭ２３は、ＣＰＵ２４が実行するプログラムを格納している。ＣＰＵ２４はこのＲＯＭ２３中のプログラムを実行する。また、ＲＯＭ２３中には、後述するように、種々の画像や音声のデータが格納されている。なお、このＲＯＭ２３は請求の範囲における記憶手段の一例に相当する。
【００２３】
ＣＰＵ２４は、すでに述べたようにＲＯＭ２３中のプログラムを実行し、この表示基盤２０の主要な機能を実行するものである。なお、このＣＰＵ２４は請求の範囲における処理手段の一例に相当する。
【００２４】
また、時計ＩＣ２５は、日付又は時刻を提供する時計ＩＣであり、現在の日付、時刻を常に保持している。ＣＰＵ２４はこの時計ＩＣ２５の内容をチェックすることによって、現在の日付・時刻を知ることができる。本実施の形態では、時計ＩＣを利用したが、現在の日付・時刻を知ることができればどのような手段を採用しても構わない。例えば、近年電波による時刻を求める手法が広く利用されているが、そのような手段を用いても構わない。なお、この時計ＩＣ２５は、請求の範囲における時計手段の一例に相当する。すなわち、時間だけではなく日付を管理する機能（カレンダー機能）も備えている。
【００２５】
音声ＩＣ２６は、ディジタルデータである音声データをアナログ信号に変換し、スピーカ２８に供給する。このため、音声ＩＣ２６は、音声データをアナログ信号に変換するＤ／Ａコンバータを備えている。このような音声ＩＣ２６は広く知られているので、各種の音声ＩＣを利用することが可能である。音声ＩＣ２６によって変換されたアナログ信号はスピーカ２８から外部に音声で放出される。なお、音声ＩＣ２６及び外部のスピーカ２８は請求の範囲における音声手段の一例に相当する。
【００２６】
本実施の形態においては、上述したように、表示基盤２０のＲＯＭ２３中に日付又は時刻に応じた画像や音声を表示するためのスケジュール表が格納されている。  図３には、このスケジュール表の概念図が示されてる。
【００２７】
本実施の形態においては、このスケジュール表に基づき画像や所定の音声が表示または出力される。この図に示されているように、スケジュール表の中には所定の画像及び音声データが出力すべき日付又は時刻とともに示されている。尚、このスケジュール表はＲＯＭ２３に記録されている。これらの表示等は、日付または時間に基づき制御されている。以下、例を示す。
【００２８】
日付に基づく表示
例えば、１月１日は元旦であり、このスケジュール表に基づき画像表示装置２１に正月の画像が表示され、スピーカ２８から春の海の音声が出力される。尚、正月の画像とは、図４（１）に示すように門松や羽子板の画像が好ましい。５月５日は子供の日であり、このスケジュール表に基づき画像表示装置２１に鯉のぼりの画像が表示され、スピーカ２８から鯉のぼりの歌の音声が出力される。この鯉のぼりの画像の例が図４（２）に示されている。また１２月２５日はクリスマスであり、このスケジュール表に基づき画像表示装置２１にクリスマスツリーの画像が表示され、スピーカ２８からクリスマスソングの音声が出力される。尚、このクリスマスツリーの画像の例が図４（３）に示されている。
【００２９】
時間に基づく表示
また、図５には、図３のスケジュール表に基づき時間によって表示される画像の例が示されている。例えば、図３のスケジュール表に従えば、朝には鶏の画像が表示される。この鶏の画像の例が図５（１）に示されている。また、朝には図３のスケジュール表に基づきスピーカ２８からサンデーモーニングの歌が出力される。同様にして、昼には画像表示装置２１にカレーライスが表示され、スピーカ２８からおさかな天国の歌が出力される。このカレーライスの画像が図５（２）に示されている。夜には、画像表示装置２１にワイングラスの絵が表示され、スピーカ２８から夜想曲の音楽が出力される。尚、このワイングラスの絵が図５（３）に示されている。
【００３０】
このように本実施の形態においては、日付や時間に基づき対応する画像や音声が再生されるが、この動作は表示基盤２０で実行される。以下、本実施の形態における表示基盤２０の特徴的な動作を図６のフローチャートに基づき説明する。
【００３１】
図６には、ＣＰＵ２４の動作を中心とした表示基盤２０の動作を表すフローチャートが示されている。ここに示されているフローチャートには、本実施の形態において特徴的な動作を表すフローチャートであり、パチンコゲームの結果である当たり画像を表示する等の従来と同様の動作は表されていない。
【００３２】
ステップＳ６−１において、ＣＰＵ２４は時計ＩＣ２５の内容をチェックし、日付及び時刻を読み出す。
【００３３】
ステップＳ６−２において、前記呼び出した日付が上記説明したスケジュール表に設定されている日付と合致するか否かを検査する。検査の結果、合致している場合には、ステップＳ６−７に処理が移行し、合致していない場合には、ステップＳ６−３の処理に移行する。
【００３４】
ステップＳ６−３において、ステップＳ６−１において呼び出した時刻が上記説明したスケジュール表に設定されている時刻と合致するか否かを検査する。前記呼び出した時刻が合致しない場合はステップＳ６−１に処理が移行して、再び時計ＩＣ２５のチェックを繰り返す。合致した場合には、ステップＳ６−４に処理が移行する。
【００３５】
ステップＳ６−４において、その時刻に表示すべき画像及び出力すべき音声を上記スケジュール表から読み出し、前記画像及び音声を画像表示装置２１に表示し、スピーカ２８に出力する。
【００３６】
ステップＳ６−４における、表示される画像ファイルはＲＯＭ２３に格納しておくことが望ましい。各画像ファイルにはファイル名が付けられている。上記スケジュール表には各画像ファイルのファイル名に対応するリンク先が設定されている。ＣＰＵ２４はＲＯＭ２３からスケジュール表のリンク先の画像ファイルを読み出し、ＶＤＰ２２に供給する。ＶＤＰ２２は供給されてきたこの画像ファイルを画像表示装置２１に供給する。このような動作によって、図４や図５に示すような日付や時間に対応した画像が画像表示装置２１に表示されるのである。また、出力される音声ファイルもＲＯＭ２３に格納しておくことが望ましい。各音声ファイルにはファイル名が付けられている。上記スケジュール表には各音声ファイルのファイル名に対応するリンク先が設定されている。ＣＰＵ２４はＲＯＭ２３から音声ファイルを取り出し、音声ＩＣ２６に供給する。音声ＩＣ２６は、供給されてきた音声ファイルを再生し、スピーカ２８に供給する。この音声ＩＣ２６は、いわゆるＤ／Ａコンバータを備えており、ディジタルデータで構成された音声ファイルをアナログ信号に変換する役割を果たしている。このような音声ＩＣ２６は広く知られているので、各種の音声ＩＣを利用することが可能である。音声ＩＣ２６によって変換されたアナログ信号はスピーカ２８から外部に音声で放出される。
【００３７】
一方ステップＳ６−４において、画像及び音声が出力されたのち、ステップＳ６−５において一定の時間待ちが行われる。この時間は、画像や音楽を楽しむための十分な時間があることが好ましい。この時間は例えば、１分から５分を予め設定しておくことが好ましい。
【００３８】
次に、ステップＳ６−６において、ＣＰＵ２４はＶＤＰ２２に表示させた画像の表示を中止させるように指令を出す。このＶＤＰ２２は、この指示によって数時間表示してきた図５に示すような画像の表示を終了する。さらに、このステップＳ６−６においては、ＣＰＵ２４は音声ＩＣ２６に対して音声の出力の停止を命じる。音声ＩＣ２６は、この指示を受けて音声の出力を中止する。なお、音声ＩＣ２６は音声ファイルを再生後、自動的に音声の再生を中止してしまう機能を有している場合は、ＣＰＵ２４は特に中止の指示はしなくてもよいことは言うまでもない。
【００３９】
一方ステップＳ６−７では、その日付に表示すべき画像及び出力すべき音声を上記スケジュール表から読み出し、前記画像及び音声を画像表示装置２１に表示し、スピーカ２８に出力する。その後、ステップＳ６−１に処理が移行して、再び時計ＩＣ２５のチェックを繰り返す。具体的な動作はステップＳ６−４と同様であり、ＣＰＵ２４はＲＯＭ２３からスケジュール表にリンク設定された画像ファイルを取り出し、ＶＤＰ２２に供給する。ＶＤＰ２２は供給されてきたこの画像ファイルを画像表示装置２１に供給する。また、ＣＰＵ２４はＲＯＭ２３からスケジュール表にリンク設定された音声ファイルを取り出し、音声ＩＣ２６に供給する。音声ＩＣ２６は、供給されてきた音声ファイルを再生し、スピーカ２８に供給する。
【００４０】
以上述べたように、本実施の形態によれば表示基盤に日付や時間に対応した画像を表示しておき、さらにＲＯＭ２３中に画像や音声を再生するタイミングを表すスケジュール表を格納しておいた。そして、ＣＰＵ２４がこのスケジュール表に従って、画像や音声を再生したので、パチンコ遊技装置１０の利用者は時宜に応じた画像や音声を楽しむことができ、より楽しくパチンコを実行することができる。
【００４１】
実施の形態の変形例１
上記説明した例においては、日付や時刻に応じた画像を表示し、音声を出力するパチンコ装置１０について説明した。
【００４２】
しかしながら、図６のステップＳ６−７や、ステップＳ６−４において、日付や時刻に応じて画像のみを表示する、もしくは音声のみを出力する、のどちらか一方の動作のみを実行するのも好適である。いずれか一方の動作だけでも従来の装置に比べて面白さを増すことができる。
【００４３】
実施の形態の変形例２
上記の説明においては、パチンコ遊技装置１０について説明したが、例えばパチンコスロット遊技装置上に本発明を応用することも好ましい。このような遊技装置に応用しても、本実施の形態と同様に時宜に応じた画像や音声を利用者は楽しむことができるのでより楽しくゲームを実行することが可能である。尚、本変形例においては、メイン基盤はパチンコゲームのメイン基盤ではなく、パチンコスロットゲームの制御を行うメイン基盤である。このようなメイン基盤を採用することにより、パチンコスロット装置上で本発明を実現することが可能となる。
【００４４】
なお、パチンコスロット遊技装置においても、パチンコ遊技装置と同様に、遊技画像表示装置を備える装置が広く利用されており、パチンコ遊技装置と同様に、各種の演出画像が表示される。したがって、パチンコスロット遊技装置の場合も、この遊技画像表示装置に時宜に応じた画像データを表示することができる。
【００４５】
実施の形態の変形例３
上記説明においては、日付や時刻に応じた画像を表示し、音声を出力するパチンコ遊技装置１０について説明した。
【００４６】
しかしながら、時刻については検査せず、日付のみを検査し、日付のみに対応した画像及び音声を出力するのも好適である。もしくは、日付については検査をせずに、時刻にのみ対応した画像や音声を出力するのも好適である。
【００４７】
日付のみを検査する場合は、図６におけるステップＳ６−３からステップＳ６−６の動作は不要であり、ステップＳ６−２において「なし」の場合は、ステップＳ６−１に処理が移行する。
【００４８】
時刻のみを検査する場合は、図６におけるステップＳ６−２及びステップＳ６−７は不要であり、ステップＳ６−１の次はステップＳ６−３が実行される。
【００４９】
【発明の効果】
以上述べたように、本発明によれば、日付又は時刻に応じてその時宜に応じた画像を表示し、又は音声を出力することが可能である。遊技者はその遊技をする際により面白さや新鮮味を感じることができ、遊技者の遊戯意欲をさらに促すことができる。
【図面の簡単な説明】
【図１】本実施の形態において利用されているパチンコ遊技装置の正面図が表示されている。
【図２】本発明の好適なパチンコ遊技装置の表示基板を中心とする構成概念図が示されている。
【図３】本実施の形態において用いるスケジュール表の概念図が示されてる。
【図４】スケジュール表に格納されている日付によって表示される画像データの説明図である。
【図５】時刻によって表示される画像の様子を表す説明図が示されている。
【図６】本実施の形態にかかるＣＰＵの動作を表すフローチャートが示されている。
【符号の簡単な説明】
１０  パチンコ遊技装置
２０  表示基板
２１  画像表示装置
２２  ＶＤＰ
２３  ＲＯＭ
２４  ＣＰＵ
２５  時計ＩＣ
２６  音声ＩＣ
２７  メイン基盤
２８  スピーカ
２００  バス
【図１】
2004321208.tif 000003
【図２】
2004321208.tif 000004
【図３】
2004321208.tif 000005
【図４】
2004321208.tif 000006
【図５】
2004321208.tif 000007
【図６】
2004321208.tif 000008